(57)【要約】【課題】新たに購入されたガス器具を検出し、ガス管理者に報知すること。【解決手段】流量検出部２０１、流量算出部２０２、コード抽出部２０６、コード初期学習部２０７、コード保持部２０８、コード判定部２０９、コード追加学習部２１０、外部通信部２１１とを備え、コード抽出部２０６でコードパターンＥを抽出してコード初期学習部２０７で類似したコードパターンＥをガス器具コードパターンＦとしてまとめ、コード判定部２０９がコード保持部２０８で保持しているガス器具コードパターンＦとコードパターンＥと所定の範囲内での一致判定を行ったのち、一致しなかったコードパターンＥを対象としてコード追加学習部２１０でガス器具の追加判定を行うものである。これによって、ガス遮断装置２００はコード追加学習部２１０にて新たなガス器具が出現したかを検出し、外部通信部２１１でガス管理者に報知することができるようになる。【選択図】図１
2010270940.tif 000002
【特許請求の範囲】
【請求項１】
ガス通路内を通過するガスの流量を計測する流量測定部と、前記流量測定部で今回計測された流量と前回計測された流量との差分に対応したコードを抽出し、所定時間中に抽出した複数のコードを第１のコードパターンとして出力するコード抽出部と、所定期間中に出力された複数の前記第１のコードパターンの内、所定回数以上出力されたコードパターンを対象とし、類似したコードパターンを特定のガス器具を表すガス器具コードパターンとするコード初期学習部と、前記ガス器具コードパターンを保持するコード保持部とからなるガス遮断装置。
【請求項２】
コード抽出部から出力される第１のコードパターンとコード保持部が保持している全てのガス器具コードパターンを比較し、前記第１のコードパターンが前記ガス器具コードパターンと一致又は類似しなかった場合、前記第１のコードパターンを第２のコードパターンとして出力するコード判定部と、所定期間中に出力された複数の前記第２のコードパターンの内、所定回数以上の出力されたコードパターンを対象とし、類似したコードパターンを特定のガス器具を表す新たなガス器具コードパターンとするコード追加学習部を備え、前記コード保持部は前記新たなガス器具コードパターンを追加して保持することを特徴とする請求項１に記載のガス遮断装置。
【請求項３】
外部通信部を備え、コード追加学習部で新たなガス器具コードパターンが出力されると前記外部通信部を介してガス遮断装置を監視しているセンタに通報することを特徴とする請求項２に記載のガス遮断装置。
【請求項４】
コード判定部は、コード抽出部から出力される第１のコードパターンとコード保持部が保持している全てのガス器具コードパターンを比較し、前記第１のコードパターンが前記ガス器具コードパターンと一致又は類似した場合、前記第１のコードパターンをガス器具コードパターンとして出力し、コード保持部は、保持しているガス器具コードパターン毎にタイマを有する共に、コード初期学習部、コード追加学習部、前記コード判定部のいずれかよりガス器具コードパターンを受け取ると対応するタイマのカウントをクリアスタートし、前記タイマのカウントが所定の値になると対応する前記ガス器具コードパターンを削除することを特徴とする請求項２に記載のガス遮断装置。
【請求項５】
外部通信部を備え、コード保持部でガス器具コードパターンが削除されると前記外部通信部を介してガス遮断装置を監視しているセンタに通報することを特徴とする請求項４記載のガス遮断装置。
【発明の詳細な説明】
【技術分野】
【０００１】
本発明はガス管理者が顧客であるガスユーザの保有しているガス器具情報を管理し、ガス器具の買い替えやメンテナンス等を行うための情報収集能力を向上させるものである。
【背景技術】
【０００２】
従来、この種のガス遮断装置は、特許文献１に記載するような構成として先行技術文献に記載されている。
【０００３】
図５は、特許文献１に記載された従来の流量計測装置を示すものである。図５に示すように、流路１０２に流れるガスの流量を一定時間間隔で計測し演算部１０８が計測された流量の一定時間毎の差分値を演算する。そして差分値の大きさに応じた複数の差分値の区分を表すコードが対応付けられた流量区分表１００ａに基づき、差分変換部１１２は演算された差分値をコードに変換する。さらにコード列生成部１１４は、一定時間毎のコードの集合に基づき計測コード列を生成し、器具判別部１１６は計測コード列とガス器具ごとの固有コード列を比較し、ガスを使用するガス器具を判別するように構成されている。
【先行技術文献】
【特許文献】
【０００４】
【特許文献１】特開２００８−３０９４９８号公報
【発明の概要】
【発明が解決しようとする課題】
【０００５】
特許文献１には器具判別の方法ついて記載されているが、複数のガス器具が同時に使用される場合の判別方法や、新たなガス器具が追加された場合の対処方法に関する記述はない。
【０００６】
前記従来の構成では器具を判別するためには予めガス器具毎の器具固有コード列を器具固有コード列情報保持部１１８に記憶させておく必要があり、登録されていない器具固有コード列を持つガス器具が追加されたり、コードが対応付けられた流量区分表１００ａの境界値付近の流量域を使用するガス器具においては器具固有コード列が登録されていても季節毎の使用流量の変動や経年変化等により器具固有コード列が変化するために正確にガス器具を判別できないと言う課題を有していた。
【０００７】
本発明は、前記従来の課題を解決するもので、類似したコードバターンをガス器具コードパターンとしてまとめて保持し、かつコードパターンが抽出される都度、コードパターンとガス器具コードパターンとを所定の範囲内で一致判定を行うことで季節毎の使用流量の変動や経年変化等で変化したコードパターンを新たな器具と誤識別しないようし、さらに新たに追加されたガス器具や使用されなくなったガス器具を検出し、通報することを目的とする。
【課題を解決するための手段】
【０００８】
前記従来の課題を解決するために、ガス通路内を通過するガスの流量を計測する流量測定部と、前記流量測定部で今回計測された流量と前回計測された流量との差分に対応したコードを抽出し、所定時間中に抽出した複数のコードを第１のコードパターンとして出力するコード抽出部と、所定期間中に出力された複数の前記第１のコードパターンの内、所定回数以上出力されたコードパターンを対象とし、類似したコードパターンを特定のガス器具を表すガス器具コードパターンとするコード初期学習部と、前記ガス器具コードパタ
ーンを保持するコード保持部とからなるもので、類似したコードパターンをガス器具コードパターンとしてまとめて保持し、かつコードパターンが抽出される都度、コードパターンとガス器具コードパターンとを所定の範囲内で一致判定を行うことで季節毎の使用流量の変動や経年変化等で変化したコードパターンを新たな器具と誤って識別しないようすることができる。
【発明の効果】
【０００９】
本発明のガス遮断装置は従来の季節毎の使用流量の変動や経年変化等によりコードパターンが影響を受けていたものを、所定の範囲内での一致判定を行うことでその影響を排除するとともに、類似したコードパターンをまとめことができるためガス遮断装置を制御しているマイコンのＲＡＭ容量を減らすこともできる。
【図面の簡単な説明】
【００１０】
【図１】本発明の実施の形態１におけるガス遮断装置の機能ブロック図
【図２】同実施の形態１における流量差分値に基づいたコード変換を示す図
【図３】（ａ）同実施の形態１におけるガス器具Ａの流量パターン図（ｂ）同流量パターンからのコード抽出を示す図
【図４】（ａ）同実施の形態１におけるガス器具Ｂの流量パターン図（ｂ）同流量パターンからのコード抽出を示す図
【図５】（ａ）〜（ｆ）同実施の形態１におけるコード抽出の説明図
【図６】同実施の形態１におけるコードパターン集計の説明図
【図７】（ａ）同実施の形態１におけるガス器具Ｃの流量パターン図（ｂ）同流量パターンからのコード抽出を示す図
【図８】本発明の実施の形態２におけるガス遮断装置の機能ブロック図
【図９】従来のガス遮断装置の機能ブロック図
【発明を実施するための形態】
【００１１】
第１の発明は、ガス通路内を通過するガスの流量を計測する流量測定部と、前記流量測定部で今回計測された流量と前回計測された流量との差分に対応したコードを抽出し、所定時間中に抽出した複数のコードを第１のコードパターンとして出力するコード抽出部と、所定期間中に出力された複数の前記第１のコードパターンの内、所定回数以上出力されたコードパターンを対象とし、類似したコードパターンを特定のガス器具を表すガス器具コードパターンとするコード初期学習部と、前記ガス器具コードパターンを保持するコード保持部とからなるもので、類似したコードパターンをガス器具コードパターンとしてまとめて保持し、かつコードパターンが抽出される都度、コードパターンとガス器具コードパターンとを所定の範囲内で一致判定を行うことで季節毎の使用流量の変動や経年変化等で変化したコードパターンを新たな器具と誤って識別しないようすることができる。
【００１２】
第２の発明は、特に第１の発明において、コード抽出部から出力される第１のコードパターンとコード保持部が保持している全てのガス器具コードパターンを比較し、前記第１のコードパターンが前記ガス器具コードパターンと一致又は類似しなかった場合、前記第１のコードパターンを第２のコードパターンとして出力するコード判定部と、所定期間中に出力された複数の前記第２のコードパターンの内、所定回数以上の出力されたコードパターンを対象とし、類似したコードパターンを特定のガス器具を表す新たなガス器具コードパターンとするコード追加学習部を備え、前記コード保持部は前記新たなガス器具コードパターンを追加して保持することを特徴とするもので、新たなガス器具が追加されたことを検出することができる。
【００１３】
第３の発明は、特に第２の発明において、外部通信部を備え、コード追加学習部で新たなガス器具コードパターンが出力されると前記外部通信部を介してガス遮断装置を監視し
ているセンタに通報することを特徴とするもので、新たなガス器具が追加されたことを検出すると、外部通信部がガス遮断装置を監視しているセンタに通報することでユーザのガス器具情報の更新を補助することができる。
【００１４】
第４の発明は、特に第２の発明において、コード判定部は、コード抽出部から出力される第１のコードパターンとコード保持部が保持している全てのガス器具コードパターンを比較し、前記第１のコードパターンが前記ガス器具コードパターンと一致又は類似した場合、前記第１のコードパターンをガス器具コードパターンとして出力し、コード保持部は、保持しているガス器具コードパターン毎にタイマを有する共に、コード初期学習部、コード追加学習部、前記コード判定部のいずれかよりガス器具コードパターンを受け取ると対応するタイマのカウントをクリアスタートし、前記タイマのカウントが所定の値になると対応する前記ガス器具コードパターンを削除することを特徴とするもので、ガス器具コードパターンの再出現を監視し、所定の期間が経過しても再出現しない場合に使用されなくなったガス器具を検知することができる。
【００１５】
第５の発明は、特に第４の発明において、外部通信部を備え、コード保持部でガス器具コードパターンが削除されると前記外部通信部を介してガス遮断装置を監視しているセンタに通報することを特徴とするもので、ガス遮断装置を監視しているセンタに通報することでユーザのガス器具が減ったことを報知することができる。
【００１６】
以下、本発明の実施の形態について、図面を参照しながら説明する。なお、この実施の形態によって本発明が限定されるものではない。
【００１７】
（実施の形態１）
図１は、本発明の実施の形態１におけるガス遮断装置２００の機能ブロック図を示すものである。
【００１８】
図１において、流量測定部２１２は、流量検出部２０１と流量算出部２０２で構成されており、流量検出部２０１は、ガス通路３００内を通過するガス流量（例えば、ガス通路３００内に対向した超音波センサを取り付け超音波の伝搬時間の違いからガス流量を検知してもよいし、ガス通路３００内にガスが流れる経路を作成しガスが経路を流れるときに発生する振動からガス流量を検知してもよいし、ガスの通過量を計量し一定の通過量に達する毎にガス流量として検出するようにしても同様の効果が得られる。以下の説明では１秒毎に伝搬時間の違いから流量信号Ａを算出する方式に関して記載する）に対応して流量信号Ａを出力する。
【００１９】
流量算出部２０２は、流量検出部２０１の流量信号Ａを受け取ると流量Ｂ（例えば、予め保持している流量信号Ａに対する重み付けを持たせた係数を流量信号Ａに掛けて流量Ｂを算出してもよい）を算出する。
【００２０】
コード抽出部２０６は、流量算出部２０２の流量Ｂを取得すると前回取得した流量Ｂとの差分を算出し、図２に示す流量差分値に基づいたコード表から今回の流量Ｂ取得時のコードを抽出する。
【００２１】
次に、所定の時間中（例えば、器具の立ち上がり時に特徴があるのであれば、流量Ｂがない状態から流量Ｂが出現した時点を起点として１０秒間）とする。抽出したコードをコードパターンとして出力する。なお、所定の時間としては、流量Ｂが出現した時点を起点として４つ分のコードを検出するまでとしても良いし、器具の起動時ではなく制御時に特徴があるのであれば流量Ｂが出現して次に流量Ｂが変化した時点としても良い。
【００２２】
例えば、図３（ａ）のガス器具Ａの起動時パターンはガス器具Ａ３０１の起動時の流量変化を表している。グラフより流量がない（１）の状態からスタートし、（２）の時点では７５０Ｌ／ｈに増加している。よって流量差分値は７５０Ｌ／ｈとなり、これは図２より［７］のコードとして抽出される。同様に（３）の時点では７５５Ｌ／ｈに変化し流量差分値は５Ｌ／ｈなので［１］のコードとなる。
【００２３】
（８）の時点まで順次抽出すると１回目の起動時のコードは［７→１→５→１→１→１→１］と遷移することとなる。この手順でｎ回行った結果をまとめたのが図３（ｂ）のコード抽出の表である。なお、２回目以降は差分値が図２に示す流量差分値に基づいたコード表の境界値付近であるために、季節の変動や経年変化あるいはガスユーザのガス器具の使い方と流量を計測するタイミングのズレ等によりばらついた結果である。例えば、検出した結果が７５０Ｌ／ｈ→７５６Ｌ／ｈ→  と遷移すると、抽出したコードは［７→２→５→１→１→１→１］となり、（３）の時点において７５５Ｌ／ｈと７５６Ｌ／ｈの１Ｌ／ｈの差でコードが変わることとなる。
【００２４】
そして、コード抽出部２０６は、最終的に、上述のように抽出したコード［７→１→５→１→１→１→１］を、先頭４個分の『７１５１』をコードパターンＥとして出力する。
【００２５】
コード初期学習部２０７は、コード抽出部２０６のコードパターンＥを受け取ると保持し、同じコードパターンＥの出現回数を計数する。
【００２６】
一方、図４（ａ）のガス器具Ｂの起動時パターンはガス器具Ｂ３０２の起動時の流量変化を表している。ガスユーザが今、ガス器具Ａ３０１とガス器具Ｂ３０２を所有している場合、ガスユーザがガス器具Ａ３０１とガス器具Ｂ３０２を使う順番や頻度には決まりがないためランダムとなる。
【００２７】
従って、ガス器具Ａ３０１とガス器具Ｂ３０２が前後して使用開始される場合、コード初期学習部２０７は、図５（ａ）コードパターン集計に示す様に、ガスユーザがガス器具を使用した順番にコードパターンＥを保持し、各々のコードパターンＥが出現した回数を集計することになる。
【００２８】
次に、所定の期間中（例えば、１ヶ月間）に発生した出現回数が所定回数以上（例えば５回以上）のコードパターンＥを対象にして図５（ａ）のコードパターン集計から抽出したものが図５（ｂ）の基準出現回数以上の表である。なお、所定の期間としては、ファンヒーター等の季節商品を当初から学習したい場合は１年間としても良い。
【００２９】
さらに、類似したコードパターンＥをまとめる前準備として、図５（ｂ）の基準出現回数以上の表の１つ目のコードパターンＥ『７１５１』を基準としてコードパターンＥ毎にコードパターンＥ内のコード毎の乖離数を集計したものが図５（ｃ）の第１器具判定時の乖離数である。ここで、１つ目のコードパターンＥ『７１５１』と２つ目のコードパターンＥ『７２５１』ではコード毎に分解すると｜『７』―『７』｜＝０、｜『１』―『２』｜＝１、｜『５』―『５』｜＝０、｜『１』―『１』｜＝０となり累計の乖離数は１となる。
【００３０】
同様に１つ目のコードパターンＥ『７１５１』と３つ目のコードパターンＥ『７４６２』では｜『７』―『７』｜＝０、｜『１』―『４』｜＝３、｜『５』―『６』｜＝１、｜『１』―『２』｜＝１となり累計の乖離数は５となる。
【００３１】
次に、類似したコードパターンＥを求めるために、乖離数が所定値以下（例えば乖離数が３以下）のものを集計する。ここでは、図４（ｃ）の第１器具判定時の乖離数において
、表の１つ目のコードパターンＥ『７１５１』を基準とすると２つ目のコードパターンＥ『７２５１』のみが該当することになり、それを表したものが図５（ｄ）の第１器具のガス器具コードパターン算出である。
【００３２】
最後に、類似したコードパターンＥのコード毎に平均を求め、小数点以下を四捨五入（もしくは、切り上げや切捨て）して最終値を算出して、この最終値をガス器具コードパターンＦとする。ここでは、図５（ｄ）の第１器具のガス器具コードパターン算出において、１つ目と２つ目のコードパターンＥの先頭同士のコードは『７』と『７』なので、その平均は『７』となり、小数点以下を四捨五入しても《７》となる。これを４番目のコードまで繰り返すとガス器具コードパターンＦは《７２５１》となる。
【００３３】
なお、単純にコード毎の平均ではなく、出現回数の重み付けを加味しガス器具コードパターンＦを求めてもよい。例えば、図５（ｄ）の第１器具のガス器具コードパターン算出の２つめのコードにおいては、平均値は（『１』×９＋『２』×６）÷１５＝『１．４』となり小数点以下を四捨五入すると《１》となる。よって、求めた第１器具のガス器具コードパターンＦは《７１５１》となる。
【００３４】
なお、第１器具のガス器具コードパターンＦとして《７２５１》と《７１５１》のどちらのガス器具コードパターンＦが適しているかは、図５（ｄ）の第１器具のガス器具コードパターン算出で集計してきたコードパターンＥ『７２５１』とコードパターンＥ『７１５１』の乖離数の総和が少ない方を採択するようにしてもよい。
【００３５】
本実施の形態においては、ガス器具コードパターンＦを《７２５１》とすると１つ目のコードパターンＥ『７１５１』では累積の乖離数は１となり、２つ目のコードパターンＥ『７２５１』では累積の乖離数は０となり、乖離数の総和は１となる。一方、ガス器具コードパターンＦを《７１５１》とすると１つ目のコードパターンＥ『７１５１』では累積の乖離数は０となり、２つ目のコードパターンＥ『７２５１』では累積の乖離数は１となり、乖離数の総和は１となるため、第１器具においてガス器具コードパターンＦは《７２５１》と《７１５１》のどちらを採択してもよいこととなる。
【００３６】
また、図５（ｅ）の第２器具判定時の乖離数は、図５（ｂ）の基準出現回数以上から図５（ｄ）の第１器具のガス器具コードパターン算出で集計してきたコードパターンＥを差し引いたもので、先頭の『７４６２』を基準にしてコードパターンＥ毎にコードパターンＥ内のコード毎の乖離数を集計したものである。
【００３７】
さらに、図５（ｆ）の第２器具のガス器具コードパターン算出は、第２の器具のガス器具コードパターンＦ《７４６２》を求めたものである。なお本実施の形態においては重み付けを加味した第２の器具のガス器具コードパターンＦを算出しても《７４６２》となる。
【００３８】
よって、本実施の形態の図５（ａ）のコードパターン集計のコードパターンＥからは第１器具のガス器具コードパターンＦとして《７２５１》（または《７１５１》）と、第２器具のガス器具コードパターンＦとして《７４６２》が抽出され出力されることとなり、合わせてコード学習終了信号Ｇ出力する。そして、初期学習を終了したことにより以降は、コード抽出部２０６のコードパターンＥの受け取りを中止する。
【００３９】
本実施の形態ではガス器具Ａ３０１とガス器具Ｂ３０２による説明であるため図５（ｅ）の第２器具判定時の乖離数では累積の乖離数が４以上のものはなくなったが、ガス器具が３つ以上であったり、あるいは１つのガス器具でも起動時のパターンが複数存在する場合（この場合は１つの器具であってもガス器具コードパターンＦは複数個登録されること
となる）は、残ったコードパターンＥを集めて再びガス器具コードパターンＦの抽出を行うものとなる。
【００４０】
コード保持部２０８は、コード初期学習部２０７およびコード追加学習部２１０からガス器具コードパターンＦを受け取るとガス器具コードパターンＦを保持する。
【００４１】
コード判定部２０９はコード初期学習部２０７のコード学習終了信号Ｇを受け取ると、コード抽出部２０６のコードパターンＥとコード保持部２０８が保持している全てのガス器具コードパターンＦとの比較を開始する。コードパターンＥが全てのガス器具コードパターンＦと所定の範囲内で一致しなかった場合（例えば、ガス器具コードパターンＦ毎にガス器具コードパターンＦ内のコード毎にコードパターンＥとの乖離数を求め、累積の乖離数が４以上となった場合とする）に、コードパターンＥ’を出力する。
【００４２】
図６は第１器具のガス器具コードパターンＦの《７２５１》と、第２器具のガス器具コードパターンＦの《７４６２》を用いて、初期学習終了後に再出現したコードパターンＥが登録済みのガス器具として正しく識別されているかを表したものである。図６には図３（ａ）および図４（ａ）のコードパターンＥをプロットしてあり、再出現コードパターンは上から順番に「第２器具」「第１器具」「第２器具」「第１器具」「第２器具」「第２器具」「第２器具」「第１器具」のものとなっている。
【００４３】
以上の様に、コード保持部２０８は、コードパターンＥと第１器具のガス器具コードパターンＦの《７２５１》のコード毎の乖離数の累積と、コードパターンＥと第２器具のガス器具コードパターンＦの《７４６２》のコード毎の乖離数の累積を比較し、乖離数の累積が少ない方を識別した器具としている。
【００４４】
なお、図６の７つ目のコードパターンＥは乖離数の累積が共に２となり識別できていないことになるが、新たなガス器具の追加として認識されることはないため、本願の内容を逸脱するものではない。例えば、流量差分値を本実施例では絶対値として記載しているが、流量差分値を正負に分けたコードを割り付ければ、７つ目のコードパターンＥも一意に識別できるようになる。すなわち、正負のコード化を行うと７つ目のコードパターンＥは『７３（−５）（−２）』となる。一方、第１器具のガス器具コードパターンＦは《７２５（−１）》となり、第２器具のガス器具コードパターンＦは《７４（−６）（−２）》となる。その結果、乖離数の累積は、第１器具では１２となり、第２器具では２となる。よって、第２器具の方の乖離数が少なくなり、正しく第２器具と識別できることとなる。
【００４５】
次に、コード保持部２０８において、コードパターンＥとコード保持部２０８が保持している全てのガス器具コードパターンＦとが所定の範囲内で一致しなかった場合の動作を説明する。
【００４６】
図７（ａ）のガス器具Ｃの起動時パターンはガス器具Ｃ３０３の起動時の流量変化を表している。このような特性を持つガス器具Ｃが使用開始されると、コード抽出部２０６より１回目のコードパターンＥが『８７６１』として送られてくると、コード保持部２０８で保持している第１器具のガス器具コードパターンＦの《７２５１》との累積の乖離数は７となり、第２器具のガス器具コードパターンＦの《７４６２》との累積の乖離数は５となる。よって、どちらのガス器具コードパターンＦとも所定の範囲内（例えば、４以上）で一致しないのでコードパターンＥ’『８７６１』がコード追加学習部２１０に出力される。
【００４７】
コード追加学習部２１０はコード判定部２０９からコードパターンＥ’を受け取ると保持し同じコードパターンＥ’の出現回数を計数し、所定期間（例えばコードパターンＥ毎
に１ヶ月間）の間に発生した出現回数が所定回数以上のコードパターンＥ’を対象とし、類似したコードパターンＥ’をまとめて１つ以上のガス器具コードパターンＦと器具追加信号Ｈを出力し、所定期間中に所定回数出現しなかったコードパターンＥ’は削除する。また、所定期間をコードパターンＥ毎とせず、フリーランのタイマにより１ヶ月に達した時点で保持している全てのコードパターンＥについて上記の処理を実施しても良い。
【００４８】
なお、ガス器具コードパターンＦの抽出方法はコード初期学習部２０７と同じ手順である。
【００４９】
本実施の形態では図７（ａ）のガス器具Ｃの起動時パターンのように複数回コードパターンＥ『８７６１』が検出されることにより、ガス器具Ｃ３０３は第３器具のガス器具コードパターンＦ《８７６１》として追加学習されることとなる。
【００５０】
外部通信部２１１は、コード追加学習部２１０の器具追加信号Ｈ（新たなガス器具が追加された可能性が高いことを報知する）を受け取ると外部に通報（例えば、公共の電話回線を通して報知しても良いし、インターネットや専用の有線や無線を使用しても同等の効果が得られる）する。
【００５１】
異常流量判定部２０３は、流量算出部２０２の流量Ｂと異常判定流量とを比較して、異常の有無を判定し異常（例えば、流量Ｂがガス遮断装置２００の許容している最大ガス使用量をオーバした場合や、流量Ｂから導き出された任意のガス使用量毎に定められた使用可能時間をオーバする場合に異常と判定する）である場合には弁駆動信号Ｃを出力する。弁駆動部２０４は異常流量判定部２０３の弁駆動信号Ｃを受け取ると閉栓信号Ｄを出力する。弁２０５は弁駆動部２０４の閉栓信号Ｄを受け取るとガス通路３００を閉栓する。
【００５２】
以上のように、本実施の形態においてはコード追加学習部２１０で新たなガス器具が追加されたことを検出すると、外部通信部２１１がガス遮断装置２００を監視しているセンタに通報することで、ユーザのガス器具が追加されたかをガス管理者が知ることができ、電話等で新たなガス器具はどんなものかを確認し、ガス器具情報の登録を更新することができる。この登録情報に基づきメンテナンスの時期や老朽化したガス器具の買い替えの促進を行うことでガス使用時の安全性を向上させることが可能となる。
【００５３】
（実施の形態２）
図８は、本発明の実施の形態２におけるガス遮断装置４００の機能ブロック図を示すものである。なお、実施の形態１と同一の記号のものは同一の機能のため説明を省略する。
【００５４】
ここで、コード判定部４０９はコード初期学習部２０７のコード学習終了信号Ｇを受け取ると、コード抽出部２０６のコードパターンＥとコード保持部４０８が保持している全てのガス器具コードパターンＦとの比較を開始し、コードパターンＥが全てのガス器具コードパターンＦと所定の範囲内で一致しなかった場合（例えば、ガス器具コードパターンＦ毎にガス器具コードパターンＦ内のコード毎にコードパターンＥとの乖離数を求め累計の乖離数が４以上の場合とする）にコードパターンＥを出力し、コードパターンＥとガス器具コードパターンＦが所定の範囲内で一致した場合（例えば、ガス器具コードパターンＦ毎にガス器具コードパターンＦ内のコード毎にコードパターンＥとの乖離数を求め累計の乖離数が３以下の場合とする）に一致したガス器具コードパターンＦを出力する。
【００５５】
コード保持部４０８は、コード初期学習部２０７あるいはコード追加学習部２１０からガス器具コードパターンＦを受け取るとガス器具コードパターンＦを保持して経過カウンタをクリアスタート（すなわち新規登録によるカウント開始）し、コード判定部２０９のガス器具コードパターンＦを受け取ると当該の経過カウンタをクリアスタート（すなわち
再出現によるカウントリスタート）し、ガス器具コードパターンＦ毎に保持（再出現）した時点からの経過時間をカウントする経過カウンタが所定の値（例えば、１年間）になると当該のガス器具コードパターンＦを削除し器具削除信号Ｉを出力する。
【００５６】
外部通信部４１１は、コード追加学習部２１０の器具追加信号Ｈ（新たなガス器具が追加された可能性が高いことを報知する）またはコード保持部４０８の器具削除信号Ｉ（ガス器具が廃棄された可能性が高いことを報知する）を受け取ると外部に通報する。
【００５７】
以上のように、本実施の形態においてはコード保持部４０８が、ガス器具コードパターンＦの再出現を監視し、所定の期間が経過しても再出現しない場合にガス遮断装置４００を監視しているセンタに通報することで、ユーザのガス器具が減ったことをガス管理者が知ることができ、電話等でどのガス器具を廃棄したかを確認できるようになり、今後のメンテナンス計画の修正や代替器具のアナウンスをすることができるようになる。
【産業上の利用可能性】
【００５８】
以上のように、本発明にかかるガス遮断装置は従来の季節毎の使用流量の変動や経年変化等で変化していたコードパターンの影響を、類似したコードパターンをガス器具コードパターンとしてまとめて保持し、かつコードパターンが抽出される都度、コードパターンとガス器具コードパターンとを所定の範囲内で一致判定を行うことで季節毎の使用流量の変動や経年変化等で変化したコードパターンを新たな器具と誤って識別しないようすることができる。さらに新たに追加されたガス器具（や廃棄されたガス器具）を検出すると通報することができる。あるいは類似したコードパターンをまとめことができるためガス遮断装置を制御しているマイコンのＲＡＭ容量を減らすこともできるので、ガスを電気や水等に置き換えれば、電気メータや水道メータ等の用途にも適用できる。
【符号の説明】
【００５９】
２００、４００  ガス遮断装置
２０１  流量検出部
２０２  流量算出部
２０３  異常流量判定部
２０４  弁駆動部
２０５  弁
２０６  コード抽出部
２０７  コード初期学習部
２０８、４０８  コード保持部
２０９、４０９  コード判定部
２１０  コード追加学習部
２１１、４１１  外部通信部
２１２  流量測定部
３００  ガス通路
３０１  ガス器具Ａ
３０２  ガス器具Ｂ
３０３  ガス器具Ｃ
【図１】
2010270940.tif 000003
【図２】
2010270940.tif 000004
【図３】
2010270940.tif 000005
【図４】
2010270940.tif 000006
【図５】
2010270940.tif 000007
【図７】
2010270940.tif 000008
【図８】
2010270940.tif 000009
【図６】
2010270940.tif 000010
【図９】
2010270940.tif 000011